(57)【特許請求の範囲】
【請求項１】
原稿が置かれる複数の給紙部と、
前記複数の給紙部の少なくとも一つから給紙される原稿の画像を読み取る読取ユニットと、
前記読取ユニットで読み取られた原稿が排紙される１つの排紙部と、
前記複数の給紙部から給紙された各原稿の排紙が１つの前記排紙部に行われたこと、又は、前記複数の給紙部から給紙される各原稿の排紙が１つの前記排紙部に行われることを通知する通知手段とを有し、
前記複数の給紙部の少なくとも１つは、給紙可能な原稿のサイズの上限が他の前記複数の給紙部のうちの他の給紙部と異なることを特徴とする画像読取装置。
【請求項２】
原稿が置かれる複数の給紙部と、
前記複数の給紙部の少なくとも一つから給紙される原稿の画像を読み取る読取ユニットと、
前記読取ユニットで読み取られた原稿が排紙される１つの排紙部と、
前記複数の給紙部から給紙された各原稿の排紙が１つの前記排紙部に行われたこと、又は、前記複数の給紙部から給紙される各原稿の排紙が１つの前記排紙部に行われることを通知する通知手段とを有し、
更に、前記複数の給紙部に置かれた原稿のサイズを検知する原稿サイズ検知手段を設け、
前記通知手段は、前記複数の給紙部のうち、１つの給紙部に置かれた原稿について前記原稿サイズ検知手段により検知されたサイズと他の給紙部において検知された原稿のサイズとが異なる旨のユーザへの通知を行うこと特徴とする画像読取装置。
【請求項３】
ユーザへの通知を表示する表示手段を更に備え、
前記通知手段は、前記複数の給紙部から原稿が給紙されて１つの前記排紙部へ排紙された旨を前記表示手段に表示することを特徴とする請求項１又は２に記載の画像読取装置。
【請求項４】
前記複数の給紙部からすべての原稿が給紙されて１つの前記排紙部へ排紙された際に、前記排紙部からの原稿の除去を促す旨の通知を前記表示手段に表示することを特徴とする請求項３に記載の画像読取装置。
【請求項５】
ユーザへの通知を表示する表示手段を更に備え、
前記通知手段は、前記複数の給紙部のうち１つの給紙部から給紙された原稿が１つの前記排紙部へ排紙済みである旨、および、前記複数の給紙部のうち他の給紙部から原稿の排紙が行われる旨を前記表示手段に表示することを特徴とする請求項１又は２に記載の画像読取装置。
【請求項６】
ユーザへの通知を表示する表示手段を更に備え、
前記通知手段は、前記複数の給紙部から給紙される原稿の排紙が１つの前記排紙部に行われる旨を前記表示手段に表示することを特徴とする請求項１又は２に記載の画像読取装置。
【請求項７】
原稿が置かれる複数の給紙部と、
前記複数の給紙部の少なくとも一つから給紙される原稿に画像形成する画像形成ユニットと、
前記画像形成ユニットで画像が形成された原稿が排紙される１つの排紙部と、
前記複数の給紙部から給紙された各原稿の排紙が１つの前記排紙部に行われたこと、又は、前記複数の給紙部から給紙される各原稿の排紙が１つの前記排紙部に行われることを通知する通知手段とを有し、
前記複数の給紙部の少なくとも１つは、給紙可能な原稿のサイズの上限が他の前記複数の給紙部のうちの他の給紙部と異なることを特徴とする画像形成装置。
【請求項８】
原稿が置かれる複数の給紙部と、
前記複数の給紙部の少なくとも一つから給紙される原稿に画像形成する画像形成ユニットと、
前記画像形成ユニットで画像が形成された原稿が排紙される１つの排紙部と、
前記複数の給紙部から給紙された各原稿の排紙が１つの前記排紙部に行われたこと、又は、前記複数の給紙部から給紙される各原稿の排紙が１つの前記排紙部に行われることを通知する通知手段とを有し、
更に、前記複数の給紙部に置かれた原稿のサイズを検知する原稿サイズ検知手段を設け、
前記通知手段は、前記複数の給紙部のうち、１つの給紙部に置かれた原稿について前記原稿サイズ検知手段により検知されたサイズと他の給紙部において検知された原稿のサイズとが異なる旨のユーザへの通知を行うことを特徴とする画像形成装置。
【発明の詳細な説明】
【技術分野】
【０００１】
本発明は、複数の給紙部をもつ画像読取装置に関するものである。
【背景技術】
【０００２】
複数の給紙部を持つ装置としては、例えば特許文献１に開示された画像形成装置がある。また、同様の複数の給紙部を備える画像読取装置もある。このような画像読取装置では、例えばＡ４サイズ幅まで給紙可能な第一の原稿台上に置かれた原稿を給紙搬送し、画像読取センサにより画像データを読み取る。また、Ａ４サイズとは異なるサイズの原稿も給紙可能な第二の原稿台上に置かれた原稿を給紙搬送し、同様に画像データを読み取る。
【０００３】
また、このような画像読取装置はＵＳＢやＳＣＳＩなどのインターフェースを介して接続されたＰＣを用い、このＰＣにインストールされた制御プログラムにより読み取りを制御される。ユーザは原稿の種類などに応じて、第一の原稿台、第二の原稿台のどちらを使うか、または、第一の原稿台の給紙が終わった後、第二の原稿台から続けて連続給紙をする等の給紙方法の選択を、ＰＣ上のユーザーインターフェース画面を介して行う。
【先行技術文献】
【特許文献】
【０００４】
【特許文献１】特開２００７−２１２５８２号公報
【発明の概要】
【発明が解決しようとする課題】
【０００５】
ここで、第一の原稿台から搬送する原稿がＡ４サイズ、第二の原稿台から搬送する原稿が名刺であるとする。第二の原稿台の給紙が終わった後に、第一の原稿台から続けて給紙をする処理をユーザが選択して読取を行わせた場合、排紙された名刺の上に、Ａ４原稿が排紙されることになる。
【０００６】
上記のような場合、名刺とＡ４原稿の排紙が終わった後、ユーザが排紙台から原稿を回収する際に、名刺のような小サイズの原稿はＡ４原稿の下に隠れているため、ユーザが取り忘れてしまう可能性がある。
そこで本発明では、ユーザが小サイズ原稿を取り忘れないようにすることを目的とする。
【課題を解決するための手段】
【０００７】
本発明の画像読取装置は、
原稿が置かれる複数の給紙部と、
前記複数の給紙部の少なくとも一つから給紙される原稿の画像を読み取る読取ユニットと、
前記読取ユニットで読み取られた原稿が排紙される１つの排紙部と、
前記複数の給紙部から給紙された各原稿の排紙が１つの前記排紙部に行われたこと、又は、前記複数の給紙部から給紙される各原稿の排紙が１つの前記排紙部に行われることを通知する通知手段とを有し、
前記複数の給紙部の少なくとも１つは、給紙可能な原稿のサイズの上限が他の前記複数の給紙部のうちの他の給紙部と異なることを特徴とすることを特徴とする。
また、本発明の画像読取装置は、
原稿が置かれる複数の給紙部と、
前記複数の給紙部の少なくとも一つから給紙される原稿の画像を読み取る読取ユニットと、
前記読取ユニットで読み取られた原稿が排紙される１つの排紙部と、
前記複数の給紙部から給紙された各原稿の排紙が１つの前記排紙部に行われたこと、又は、前記複数の給紙部から給紙される各原稿の排紙が１つの前記排紙部に行われることを通知する通知手段とを有し、
更に、前記複数の給紙部に置かれた原稿のサイズを検知する原稿サイズ検知手段を設け、
前記通知手段は、前記複数の給紙部のうち、１つの給紙部に置かれた原稿について前記原稿サイズ検知手段により検知されたサイズと他の給紙部において検知された原稿のサイズとが異なる旨のユーザへの通知を行うこと特徴とする。
また、本発明の画像形成装置は、
原稿が置かれる複数の給紙部と、
前記複数の給紙部の少なくとも一つから給紙される原稿に画像形成する画像形成ユニットと、
前記画像形成ユニットで画像が形成された原稿が排紙される１つの排紙部と、
前記複数の給紙部から給紙された各原稿の排紙が１つの前記排紙部に行われたこと、又は、前記複数の給紙部から給紙される各原稿の排紙が１つの前記排紙部に行われることを通知する通知手段とを有し、
前記複数の給紙部の少なくとも１つは、給紙可能な原稿のサイズの上限が他の前記複数の給紙部のうちの他の給紙部と異なることを特徴とする。
また、本発明の画像形成装置は、
原稿が置かれる複数の給紙部と、
前記複数の給紙部の少なくとも一つから給紙される原稿に画像形成する画像形成ユニットと、
前記画像形成ユニットで画像が形成された原稿が排紙される１つの排紙部と、
前記複数の給紙部から給紙された各原稿の排紙が１つの前記排紙部に行われたこと、又は、前記複数の給紙部から給紙される各原稿の排紙が１つの前記排紙部に行われることを通知する通知手段とを有し、
更に、前記複数の給紙部に置かれた原稿のサイズを検知する原稿サイズ検知手段を設け、
前記通知手段は、前記複数の給紙部のうち、１つの給紙部に置かれた原稿について前記原稿サイズ検知手段により検知されたサイズと他の給紙部において検知された原稿のサイズとが異なる旨のユーザへの通知を行うことを特徴とする。
【発明の効果】
【０００８】
本発明の画像読取処理を行うことにより、異なるサイズの原稿が排紙部に重なって排紙された場合に、小サイズの原稿の回収し忘れを防止できる。
【図面の簡単な説明】
【０００９】
【図１】画像読取装置の一例の概略断面図である。
【図２】画像読取装置の電気系の概略構成を例示するブロック図である。
【図３】読取条件の設定画面を例示する図である。
【図４Ａ】ユーザ設定に従って実行する読取処理を例示するフローチャートである。
【図４Ｂ】ユーザ設定に従って実行する読取処理の変形例を示すフローチャートである。
【図４Ｃ】ユーザ設定に従って実行する読取処理の他の変形例を示すフローチャートである。
【図５】ピックアップローラの動作を説明するための拡大図である。
【図６】警告ダイアログを例示する図である。
【図７】原稿台に載置された原稿の幅を検知する機構を例示する図である。
【発明を実施するための形態】
【００１０】
以下に例示する本発明の実施の形態について図面を参照しながら説明する。スキャナ等の画像読取装置に関して説明するが、画像読取機能を有する複写機やプリンタ等の画像形成装置にも本発明は適用可能である。この実施の形態に記載されている構成部品の寸法、材質、形状、それらの相対配置などは、発明が適用される装置の構成や各種条件により適宜変更されるべきものであり、本発明の範囲を以下の実施の形態に限定する趣旨のものではない。
【実施例１】
【００１１】
まず、画像読取装置の概略構成を説明する。図1は画像読取装置１の全体概略図である。画像読取装置１は、略Ａ４サイズ幅まで給紙可能な給紙部としての第一の原稿台１６と、原稿Ｄをピックアップするピックアップローラ２とを有している。
【００１２】
ピックアップローラ２によりピックアップされた原稿Ｄは、給送ローラ３と分離ローラ４によって１枚ずつ装置内に給送される。対になって配設されたレジストローラ対６により原稿Ｄは搬送される。レジストローラ対６により搬送された原稿Ｄは、原稿を検知するレジストセンサ８により検知される。
【００１３】
第二の原稿台１５からはピックアップローラ５と分離ローラ５２により１枚ずつ略名刺サイズ幅の原稿Ｄ’が給紙可能である。原稿台１６または１５に置かれた原稿を搬送しながら読み取るときには、読取ユニット１０はガラス板１３の下の図示された位置に位置決めしておく。なお、搬送できない固い原稿や書籍等を読み取るときには、画像読取装置の本体を構成する下部ユニット１９の最上部にあるガラス板１３の上に原稿を載置し、読取ユニット１０をガラス板１３にそって移動させながら原稿を読み取る。搬送された原稿Ｄ、Ｄ’は排紙ローラ対７により排紙され、排紙された順に排紙台（排紙部）１７の上に重なっていく。すなわち、原稿Ｄ、Ｄ’は同一の排紙部に排紙される。
【００１４】
光源２０１は原稿Ｄ、Ｄ’の画像をラインイメージセンサ２００、もしくは２０２により読み取る際に原稿Ｄ、Ｄ’に光を照射する。操作パネル３０では、例えば液晶とタッチパネルにより情報の表示およびユーザの操作を受け付けることが可能である。
【００１５】
図２の制御部１０６は、ＣＰＵ、ＲＯＭ、ＲＡＭ等を備えている。また、ＲＯＭ等には画像処理装置としての基本処理プログラムおよび画像処理プログラム等の各種プログラムが格納されているとともに、これらの各プログラムを実行するのに必要な各種データが格納されている。制御部１０６は、ＲＯＭ内のプログラムに基づいてＲＡＭをワークメモリとして利用しつつ、画像処理装置1の各部を制御する。
【００１６】
ピックアップローラ２は、図５の（ａ）および （ｂ）に示すように支持部材２０５に支持されている。この支持部材２０５は、上部ユニット１８に接続されており、不図示の駆動源により回転駆動されることで、ピックアップローラ２の上下動作を可能とする部材である。図５（ａ）はピックアップローラ２が上がった状態であり、この状態では原稿Ｄの搬送は行われない。図５（ｂ）はピックアップローラ２が下がった状態であり、この状態では原稿Ｄの搬送が行われる。
【００１７】
ピックアップローラ５は、図５の（ｃ）および（ｄ）に示すように支持部材２０６に支持されている。この支持部材２０６は、上部ユニット１８に接続されており、不図示の駆動源により回転駆動されることで、ピックアップローラ５の上下動作を可能とする部材である。図５（ｃ）はピックアップローラ５が上がった状態であり、この状態では原稿Ｄの搬送は行われない。図５（ｄ）はピックアップローラ５が下がった状態であり、この状態では原稿Ｄの搬送が行われる。
【００１８】
次にユーザが画像読取設定を行うときに、操作パネル３０に表示される画像読取設定画面について説明する。図３は本実施例の画像読み取り装置の画像読取設定画面４００である。４０１は画像読取モードを選択するためのラジオボタンであり、選択項目は２４ｂｉｔカラー画像、８ｂｉｔグレー画像、１ｂｉｔ白黒画像の３種類が選択できる。
【００１９】
プルダウン式のエディットボックス４０２により選択可能な読取サイズは、Ａ４、Ａ５、Ａ６、名刺サイズの４種類である。読取手段を選択するためのラジオボタン４０３により、「フィーダ→名刺フィーダ」の給紙順での読取動作、「名刺フィーダ→フィーダ」の給紙順での読取動作、「フラットベッド」による読取動作の、３種類の読取動作を選択可能である。「フィーダ→名刺フィーダ」は、第一の原稿台１６から原稿を給紙して画像を読み取ったのち、第二の原稿台１５から原稿を給紙して画像を読み取ることを表す。「名刺フィーダ→フィーダ」は、第二の原稿台１５から原稿を給紙して画像を読み取ったのち、第一の原稿台１６から原稿を給紙して画像を読み取ることを表す。「フラットベッド」は、ガラス板１３上に載置された原稿から画像を読み取ることを表す。設定画面４００で設定した内容は、画像読取装置内のＲＡＭや不揮発性メモリに保存される。
【００２０】
次に排紙された紙を取り除くように促すメッセージを、ユーザに通知する方法について説明する。図６の（ａ）に例示するダイアログ画面は、操作パネル３０の表示領域に表示される、排紙された紙を取り除くように促す警告ダイアログ３１０である。警告ダイアログには、警告文と、ＯＫボタン３１１が配置されている。ユーザのＯＫボタン３１１へのタッチにより、操作パネル３０のタッチパネル等の信号が、操作パネル制御部１０７を経由して制御部１０６のＣＰＵに伝達される。こうして警告ダイアログ３１０をユーザが了解したことをＣＰＵは認識することが出来る。
【００２１】
次に、画像読取設定画面４００で設定した内容に応じて、第二の原稿台１５の原稿と第一の原稿台１６の原稿を搬送して読み取る処理について、図４Ａのフローチャートを参照しながら説明する。まず、画像読取設定画面４００でユーザが画像読取設定を行ってOKボタン４０４を押すと本処理が開始され、ユーザが行った設定の内容を確定させてＲＡＭや不揮発性メモリに保存する（ステップＳ５０１）。次に設定画面上でユーザにより選択された読取の順序が「名刺フィーダ→フィーダ」であるかどうかを調べる（ステップＳ５０２）。「名刺フィーダ→フィーダ」であれば（ステップＳ５０２でＹＥＳ）、第二の原稿台１５のピックアップローラ５を下げ、第一の原稿台１６のピックアップローラ２を上げ、第二の原稿台１５から給紙して原稿の読取を行う（ステップＳ５０８）。
【００２２】
原稿の排紙が完了したら（ステップＳ５０９）、排紙された原稿の除去をユーザに促す警告ダイアログ３１０を操作パネル３０に表示する（ステップＳ５１０）。警告ダイアログ３１０のＯＫボタン３１１が押されたら（ステップＳ５１１でＹＥＳ）、第二の原稿台１５のピックアップローラ５を上げ、第一の原稿台１６のピックアップローラ２を下げ、第一の原稿台１６から給紙して原稿の読取を行う（ステップＳ５１２）。
【００２３】
一方、設定画面上でユーザにより選択された読取の順序が「名刺フィーダ→フィーダ」でなければ（ステップＳ５０２でＮＯ）、ユーザにより選択された読取の順序が「フィーダ→名刺フィーダ」であるかどうかを調べる（ステップＳ５０３）。ステップＳ５０３がＹＥＳであれば第二の原稿台１５のピックアップローラ５を上げ、第一の原稿台１６のピックアップローラ２を下げ、第一の原稿台１６から給紙して原稿の読取を行う（ステップＳ５０５）。
【００２４】
原稿台１６からの原稿の読み取りが完了したら（ステップＳ５０６でＹＥＳ）、第二の原稿台１５のピックアップローラ５を下げ、第一の原稿台１６のピックアップローラ２を上げ、第二の原稿台１５からの原稿の読み取りを行う（ステップＳ５０７）。設定画面上でユーザにより選択された読取の順序が「フィーダ→名刺フィーダ」でなければ（ステップＳ５０３でＮＯ）、「フラットベッド」が選択されていると認識する（ステップＳ５０４）。そのため、ピックアップローラ２と５を上げ、フラットベッド（ガラス板１３）上に載置された原稿から画像を読み取る（ステップＳ５１３）。
【００２５】
本実施例では、操作パネルを用いて選択画面や警告画面の表示と、選択のための入力やＯＫボタンの操作を行っているが、出力部１０４に接続されている外部のＰＣ等を用いて表示や入力を行ってもよい。このような場合は、画像読取装置と、それに接続されている外部のＰＣ等を含む画像読取システムが本発明の画像読取装置に相当する。
【００２６】
本実施例では、複数の原稿台からの原稿の読み取りを実行する際に、第二の原稿台１５からの名刺等の小サイズ原稿の読み取りが終わり、第一の原稿台１６からの大サイズ原稿の読み取りが開始される前のタイミングに、警告ダイアログの表示を行うものとしている。しかし、図４Ｂのフローチャートに示すように、警告ダイアログを表示するタイミングを変更し、複数の原稿台からの原稿の読み取りを実行してもよい。すなわち、複数の原稿台からの、それぞれ異なるサイズの原稿の読み取りを連続して実行する際に、排紙済みの小サイズの原稿の上に大サイズの原稿が排出される場合は、いずれの原稿台からもまだ原稿の読み取りを行っていないうちに、図６（ｂ）のような警告ダイアログ３２０を表示しても良い。
【００２７】
また、図４Ｃのフローチャートに示すように、警告ダイアログを表示するタイミングを変更し、複数の原稿台からの原稿の読み取りを実行してもよい。すなわち、複数の原稿台からの、それぞれ異なるサイズの原稿の読み取りを連続して実行する際に、排出された小サイズの原稿の上に、大サイズの原稿がさらに排出された場合は、両方の原稿台から給紙された原稿の読取が終わった後に、図６（ｃ）のような警告ダイアログ３３０を表示しても良い。
【００２８】
また、第二の原稿台１５からの原稿の読取の後に第一の原稿台１６からの原稿の読取を行う場合、第二の原稿台１５からの原稿の読取の後に第一の原稿台１６に配置された原稿検知センサ１４により原稿を検知した場合に、警告ダイアログを表示するようにしてもよい。
【００２９】
また、本実施例では、第一の原稿台１６と第二の原稿台１５は搬送できる原稿の上限のサイズが異なるが、第一の原稿台と第二の原稿台の搬送できる原稿の上限のサイズは同じであるように構成してもよい。この場合、実際に原稿台に置かれた原稿サイズを検知するためのセンサを設けて、センサにより検知される原稿サイズを用いるようにしてもよい。例えば、図７のような、原稿Ｄの載置位置を規制する原稿規制板７１１と、原稿規制板７１１に連動して出力値が変化する原稿幅センサ（原稿サイズ検知手段）７１２を原稿台７１０に設ければ、制御部１０６において原稿の画像読取の制御を行うＣＰＵに実際の原稿Ｐの幅を通知することが可能になる。原稿台７１０のような原稿台を設置した給紙口からの給紙と他の給紙口からの給紙とを切換える動作に応じて、原稿幅を判断基準として警告ダイアログを表示するようにしてもよい。なお、通知手段としては、動作状態を表すＬＥＤ等の点灯状態を変えるなどの方法で通知するのでもよく、本発明に含まれる。
【００３０】
また、原稿の幅ではなく長さによって警告ダイアログを出すようにしてもよい。例えば、原稿台に原稿サイズ検知手段として、光や超音波を利用した透過型センサやスイッチ等の接触型のセンサを配置し、原稿長さを検知できるようにすることが好適である。原稿台に給紙されている原稿の実際の長さを検知することができるので、第一の原稿台１６から給紙された原稿と、第二の原稿台１５からの原稿の長さが異なる場合に警告ダイアログを表示する等の処理が可能となる。
【００３１】
以上説明したように、複数の原稿台を切り換えながら原稿の読取を連続して行うと、排紙台上で名刺等の小サイズの原稿がＡ４等の大きい原稿の下に隠れてしまう等の状態になり、回収を忘れてしまう可能性がある場合における操作性を改善できる。例えば「名刺フィーダ→フィーダ」の順に原稿を給紙して読取を実行する設定である場合は、メッセージを表示する。すなわち、排紙された小サイズ原稿をいったん取り除くように促すメッセージや、排紙された大サイズ原稿の下に小サイズ原稿が排紙されていることを通知するメッセージや、大サイズ原稿の下に小サイズ原稿が排紙されることを警告するメッセージである。このようなメッセージを表示することで、ユーザに適切な操作を行わせ、小サイズの原稿の回収し忘れを防止できる。また、後から給紙される原稿台の原稿の有無を確認して、原稿がある場合にだけ警告ダイアログを出すようにした場合は、警告が不要であれば警告の表示を行わないので、わずらわしくない。
【符号の説明】
【００３２】
２  ピックアップローラ
３  搬送ローラ
４  分離ローラ
５  ピックアップローラ
６  レジストローラ対
７  排紙ローラ対
８  レジストセンサ
１０  読取ユニット
１２  読取ユニット
１３  ガラス板
１４  原稿センサ
１５  第二の原稿台
１６  第一の原稿台
１７  排紙台
３０  操作パネル
５２  分離ローラ
２０５  支持部材
２０６  支持部材
３１０  警告ダイアログ
３２０  警告ダイアログ
３３０  警告ダイアログ
７１１  原稿規制板
７１２  原稿幅センサ
Ｄ  原稿
Ｄ’原稿
【図１】
0005485668.tif 000002
【図２】
0005485668.tif 000003
【図３】
0005485668.tif 000004
【図４Ａ】
0005485668.tif 000005
【図４Ｂ】
0005485668.tif 000006
【図４Ｃ】
0005485668.tif 000007
【図５】
0005485668.tif 000008
【図６】
0005485668.tif 000009
【図７】
0005485668.tif 000010